(57)【要約】【課題】空の容器本体に詰替容器の詰替内容物を外にこぼさず、詰替内容物を容易に容器本体内に移し替えでき、且つ容器本体の口部を汚すこともないスパウトを提供する。【解決手段】詰替内容物３を収容する詰替容器４の周縁４ｂに溶着して用いるスパウト１は、その内周面に詰替内容物３を移し替える容器本体６の口部７の雄ネジ８に螺合する雌ネジ９を螺刻し、雌ネジ９の下方に空の容器本体６の口部７上面と相俟って封止するシール突起部１０を設けると共にこれに通気路１１を設けて、且つシール突起部１０の下方に、切欠き１３により分割したリング状フラップ１２を設けることで、開口したスパウト１に空の容器本体６の口部７を螺着して、容器本体６内に詰替内容物３を移し替える際、リング状フラップ１２により詰替内容物３を誘導し、通気路１１及び切欠き１３にて容器本体６内のエアーを外部に排出でき、上記の課題を達成出来る。【選択図】図７
2014196111.tif 000002
【特許請求の範囲】
【請求項１】
２枚のプラスチックフィルムの周縁を溶着し、詰替内容物を収容する詰替容器の周縁に溶着して用いられるスパウトであって、該スパウト開口部の内周面に、詰替内容物を移し替える容器本体の口部の雄ネジに螺合する雌ネジを螺刻し、該雌ネジの下方において、前記容器本体の口部上面と相俟って封止する、径方向内方に突出するシール突起部を設けると共に、該シール突起部には少なくとも１個の通気路を設け、且つ、前記シール突起部の下方において、径方向内方に突出するリング状フラップを設け、該リング状フラップはその先端から付け根に向かって延びる複数の切欠きによって分割されており、前記スパウトの閉塞部を開口した後、前記詰替容器のスパウトに空の前記容器本体の口部を螺着して前記容器本体内に詰替内容物を移し替える際、前記リング状フラップにより詰替内容物を誘導すると共に、前記通気路及び前記複数の切欠きにて前記容器本体内のエアーを外部に排出することを特徴とするスパウト。
【請求項２】
前記リング状フラップは、その内径（Ｒ１）が前記容器本体の内径（Ｒ２）より小（Ｒ１＜Ｒ２）である請求項１記載のスパウト。
【請求項３】
前記リング状フラップにおける複数の切欠きと、前記シール突起部の通気路との周方向位置が、互いに合致しないように配設した請求項１または記載２スパウト。
【発明の詳細な説明】
【技術分野】
【０００１】
本発明は、詰替容器の周縁に溶着されスパウトに関するものであり、より詳しくは、空の容器本体内に詰替容器内の詰替内容物を移し替える際、詰替内容物が外にこぼれ出すことがない状態でエアー抜きにより詰替内容物を容易に容器本体内に移し替えすることができ、且つ詰替内容物をリング状フラップにより誘導して、容器本体の口部を汚しづらくしたスパウトに関する。
【背景技術】
【０００２】
従来の詰替容器の例としては、図８、９に示すように、本容器５１の開口部５２と接合する注出口部（スパウト）５３を備え、詰替内容物５０Ａを本容器５１に注出可能とするものであり、上記スパウト５３が、その内径側に本容器５１の開口部５２を受け入れ可能とし、本容器５１の開口部５２に設けた雄ネジ５４と螺合する雌ネジ５５を備えると共に、本容器５１の開口部５２エッジと衝合するコンタクトリング５６を備えてなるものが知られている。
【０００３】
この詰替容器５０により、空の本容器５１内に詰替内容物５０Ａを移し替えるには、まず、詰替容器５０のスパウト５３を開口状態にする。次に、開口状態のスパウト５３の内径側に、空の本容器５１を逆さにして、その開口部５２を差し入れ螺合して行き、スパウト５３のコンタクトリング５６に、本容器５１の開口部５２エッジが衝合するまで、螺合する。そのあと、空の本容器５１を下に詰替容器５０を上に入れ替えて、空の本容器５１に詰替容器５０内の詰替内容物５０Ａを移し替えて行き、この移し替えの過程で、詰替内容物５０Ａが外にこぼれないようにしている（例えば、特許文献１参照）。
【先行技術文献】
【特許文献】
【０００４】
【特許文献１】実開平０７−４０４６６号公報
【発明の概要】
【発明が解決しようとする課題】
【０００５】
特許文献１記載のものは、空の本容器５１内に、詰替容器５０内の詰替内容物５０Ａを移し替える際、本容器５１の開口部５２エッジに詰替容器５０のコンタクトリング５６が衝合するため、詰替内容物５０Ａが本容器５１の外にこぼれ出ない点で優れているものの、エアー抜きが無いため、空の本容器５１内のエアーが詰替容器５０内に置き換わらないと、詰替内容物５０Ａが空の本容器５１内に入らないことになって、詰替内容物５０Ａの性状によっては、移し替えが困難となる虞がある。
【０００６】
その際、例えば、コンタクトリング５６の一部を切り欠いてエアー抜きを設けることが想定されるものの、今度はエアー抜きの箇所からの詰替内容物５０Ａのこぼれを懸念する必要があるため、内容物で口部を汚すことなく迅速に内容物を移し替えることは困難である。
【０００７】
そこで、本発明の目的は、空の容器本体内に詰替容器内の詰替内容物を移し替える際、詰替内容物が外にこぼれ出ないことは勿論のこと、エアー抜きにより詰替内容物を容易に容器本体内に移し替えでき、且つ容器本体の口部を汚すこともないスパウトを提供することにある。
【課題を解決するための手段】
【０００８】
本発明は、上記目的を達成するために提案されたものであって、下記の構成からなることを特徴とするものである。
すなわち、本発明によれば、２枚のプラスチックフィルムの周縁を溶着し、詰替内容物を収容する詰替容器の周縁に溶着して用いられるスパウトであって、該スパウト開口部の内周面に、詰替内容物を移し替える容器本体の口部の雄ネジに螺合する雌ネジを螺刻し、該雌ネジの下方において、前記容器本体の口部上面と相俟って封止する、径方向内方に突出するシール突起部を設けると共に、該シール突起部には少なくとも１個の通気路を設け、且つ、前記シール突起部の下方において、径方向内方に突出するリング状フラップを設け、該リング状フラップはその先端から付け根に向かって延びる複数の切欠きによって分割されており、前記スパウトの閉塞部を開口した後、前記詰替容器のスパウトに空の前記容器本体の口部を螺着して前記容器本体内に詰替内容物を移し替える際、前記リング状フラップにより詰替内容物を誘導すると共に、前記通気路及び前記複数の切欠きにて前記容器本体内のエアーを外部に排出することを特徴とするスパウトが提供される。
【０００９】
また、本発明によれば、前記リング状フラップは、その内径（Ｒ１）が前記容器本体の内径（Ｒ２）より小（Ｒ1＜Ｒ２）である上記スパウトが提供される。
【００１０】
また、本発明によれば、前記リング状フラップにおける複数の切欠きと、前記シール部の通気路との周方向位置が、互いに合致しないように配設した上記スパウトが提供される。
【００１１】
上記請求項１に規定した構成によれば、詰替内容物を収容している詰替容器のスパウトから外キャップを螺脱し、開口部を閉塞しているフィルムを剥がして開口し、その開口したスパウト内に、空の容器本体を逆さにして、その口部を差し入れ螺合して行き、その口部がスパウトのシール突起部に当接するまで螺合したあと、空の容器本体を下に詰替容器を上に入れ替えて、空の容器本体内に詰替容器内の詰替内容物を移し替えるものであり、その際、空の容器本体内のエアーを、スパウトの通気路及び複数の切欠きにて外部に排出すると共に、詰替容器内の詰替内容物を、リング状フラップにより誘導して空の容器本体内に移し替えることが出来る。
【００１２】
上記請求項２に規定した構成によれば、詰替容器内の詰替内容物を、容器本体口部の内径（Ｒ２）より小さい内径（Ｒ１）のリング状フラップにより誘導して、空の容器本体内に移し替えることが出来る。
【００１３】
上記請求項３に規定した構成によれば、空の容器本体内に詰替容器内の詰替内容物を移し替える際、スパウトの通気路の上方には必ずフラップが存在しているため、詰替内容物が通気路に入り込むことが確実に防止される。従って、誤って詰替内容物が容器本体の外部にこぼれる虞がない。
【発明の効果】
【００１４】
本発明のスパウトによれば、空の容器本体内に詰替容器内の詰替内容物を移し替える際、詰替内容物が外にこぼれ出ないことは勿論のこと、エアー抜きにより詰替内容物を容易に容器本体内に移し替えでき、且つ詰替内容物をリング状フラップにより誘導して、容器本体の口部を汚しづらくする効果がある。また、スパウトの開口部を、開口部に溶着または接着されたフィルムを介して外キャップで覆うことにより、輸送時などの不意の衝撃等で開口部から詰替内容物が漏れ出る事態を防ぐことが出来る。
【００１５】
また、請求項２、３に規定したスパウトによれば、上記の効果に加えて、容器本体の口部を詰替内容物により汚す虞を、確実に無くすことができる効果がある。
【図面の簡単な説明】
【００１６】
【図１】実施例１に示した本発明の実施の形態を示すスパウトの断面図である。
【図２】同じく本発明の実施形態を示すスパウトの平面図である。
【図３】同じく本発明の実施形態を示すスパウトの側面図である。
【図４】図３のＡ−Ａ線に沿う断面図である。
【図５】図３の底面図である。
【図６】同じく本発明の実施形態を示すスパウトの使用状態の断面図である。
【図７】同じく本発明の実施形態を示すスパウトの使用状態の断面図である。
【図８】スパウトの従来例を示す断面図である。
【図９】スパウトの従来例を示す断面図である。
【発明を実施するための形態】
【００１７】
以下に、図面を参照して本発明の実施の形態を説明する。
【実施例１】
【００１８】
図面において、スパウト１は、２枚のプラスチックフィルム２の周縁２ａを溶着し、詰替内容物３を収容する詰替容器４の周縁４ａに溶着して用いられるもので、開口部５は開口端５ａにおいて溶着または接着されたフィルム２１によって閉塞され、さらにその上から外キャップ２０により螺合されている。フィルム２１には一部に剥がすための摘み部２２が設けられている。外キャップ２０の内周面にはスパウト開口部５の外周面の雄ネジ９ａと螺合する雌ネジ８ａが螺刻されている。そして、さらにこのスパウト１は、その開口部内周面に詰替内容物３を移し替える容器本体６（図６、７参照）の口部７の雄ネジ８に螺合する雌ネジ９を螺刻し、この雌ネジ９の下方において、容器本体６の口部７上面と相俟って封止する径方向内方に突出するシール突起部１０を設けると共に、このシール突起部１０には少なくとも１個の通気路１１を設け、且つ、シール突起部１０の下方において、径方向内方に突出するリング状フラップ１２を設けている。リング状フラップ１２はその先端から付け根に向かって延びる複数の切欠き１３によって分割されており、スパウト１に螺合されている外キャップ２０を螺脱した後、詰替容器４のスパウト１に空の容器本体６の口部７を螺着して容器本体６内に詰替内容物３を移し替える際、リング状フラップ１２により詰替内容物３を誘導すると共に、通気路１１及び複数の切欠き１３にて容器本体６内のエアーを外部に排出するものである。
【００１９】
前記詰替容器４は、２枚のプラスチックフィルム２の周縁２ａを溶着して袋状にし、詰替内容物３を収容できるようにして、袋状の詰替容器４の開口している部分の周縁４ｂにスパウト１を溶着してなる。
【００２０】
閉塞部として用いられるフィルム２１としては、プラスチックフィルム、アルミニウム箔等の金属箔またはその積層フィルムが好適に用いられる。詰替内容物３の詰め替え時には外キャップ２０を螺脱し、スパウト開口端５ａのフィルム２１を剥がしてスパウト開口部を露出状態にする。その結果、フィルム２１及び外キャップ２０の閉蓋により詰替容器４の密封性が保持されるとともに、輸送時などに不意の衝撃による内容物のこぼれを防止でき、且つ外キャップの螺脱ならびにフィルムの剥がしだけの操作で詰替容器４を容易に開口することができる。また、この外キャップ２０及びフィルム２１に代えて、スパウト１の開口部５の上端に弱化部を介して接続する折り取り部をスパウト１と一体的に成形しても良い。この場合、折り取り部が詰替容器４の閉塞部となる。この場合、閉蓋部を引きはがすだけで詰替容器４を容易に開口することもできると共に、フィルムに比べ低コストで成形可能というメリットがある。更に閉塞部には、引きはがしを容易にするための摘み部を設けておくことが好ましい。
【００２１】
そして、このスパウト１開口部５の内周面には雌ネジ９を螺刻してあり、この雌ネジ９は、詰替容器４の詰替内容物３を移し替える容器本体６の口部７に螺刻している雄ネジ８に螺合できるものになっている。また、この雌ネジ９の下方の内周面に、容器本体６の口部７上面と相俟って封止する、径方向内方に突出するシール突起部１０を設けてあり、スパウト１内に容器本体６の口部７を差し入れ螺合して行き、その口部７がスパウト１のシール突起部１０に当たるまで螺合することで、詰替容器４と容器本体６とのシール性が確保されることになる。シール突起部は、断面形状で見て、上面が下方内方に傾斜する傾斜面、下面が略水平面となっており、詰替作業時の際は、この傾斜面が容器本体６の口部７上面と当接することとなる（図６参照）。
【００２２】
一方、シール突起部１０には、図４に示した例では８個の通気路１１が設けられているが、少なくとも１個の通気路１１が設けられていればよい。すなわち、容器本体６内に詰替容器４の詰替内容物３をスムーズに移し替えるために、それに必要な容器本体６内のエアーを、外部に排出できればよく、通気路１１の数量には特に限定がない。
【００２３】
さらに、このシール突起部１０の下方の内周面には、径方向内方に突出するリング状フラップ１２が設けられ、このリング状フラップ１２はその先端から付け根に向かって延びる複数の切欠き１３、この実施例ではシール突起部１０の通気路１１と同数の８個の切欠き１３、によって分割されている。リング状フラップは可撓性を有しており、径方向内方に上方に向かって延びている。そして、このリング状フラップ１２の先端の内径（Ｒ１）は、前記容器本体６の内径（Ｒ２）より小（Ｒ１＜Ｒ２）になっている。これによって、詰替容器４内の詰替内容物３を、容器本体６の口部７の内径（Ｒ２）より小さい内径（Ｒ１）のリング状フラップ１２によって、容器本体６内に誘導することで、その口部７を詰替内容物３により汚す虞を確実に無くすことが出来る。
【００２４】
なお、このリング状フラップ１２における複数の切欠き１３と、前記シール突起部１０のすくなくとも１個の通気路１１との周方向位置が、互いに合致しないように配設してある。すなわち、この実施例では、リング状フラップ１２の切欠き１３と、シール突起部１０の通気路１１とが共に８個なので、３６０度／（８＋８）個＝２２．５度／個ずつの等間隔でずらしてある。換言すれば、通気路１１の周方向位置はリング状フラップ１２の略中央に位置している。（図４参照）
【００２５】
したがって、空の容器本体６内に詰替容器４内の詰替内容物３を移し替える際、詰替内容物３はリング状フラップ１２により容器本体６内に確実に誘導されるとともに、スパウトの通気路１１の上方には必ずリング状フラップ１２が存在しているため、詰替内容物３が通気路に入り込むことが確実に防止される。従って、誤って詰替内容物３が容器本体６の外部にこぼれる虞がない。また、移し替える際のスパウト１のリング状フラップ１２は径方向内方に下方に向かって延びている（図６とは上下方向が逆転）ため、詰替内容物３がフラップ１２の付け根に溜まってしまうことも防止される。
【００２６】
次に、上記構成になるスパウト１を有した詰替容器４内の詰替内容物３を、空の容器本体６内に移し替える状況について説明する。
まず、詰替容器４の開口部５に螺着されている外キャップ２０を螺脱すると共に閉塞フィルム２１を引き剥がし、詰替容器４の開口部５を露出状態にし、詰替容器４内の詰替内容物３を移し替えできる状態にする。次に、空の容器本体６を逆さにして、開口したスパウト１の開口部５内に、空の容器本体６の口部７を差し入れ、口部７の外周面の雄ネジ８とスパウト１の開口部内周面の雌ネジ９と螺合して行き、その口部７がスパウト１のシール突起部１０に当接するまで螺合したあと、空の容器本体６を下に、詰替容器４を上になるように上下反転させ、空の容器本体６内に詰替容器４内の詰替内容物３を移し替える。
【００２７】
その際、空の容器本体６内のエアーは、スパウト１の通気路１１及び複数の切欠き１３を通って外部に排出される。一方、詰替容器４内の詰替内容物３は、リング状フラップ１２により誘導されて空の容器本体６内に移し替えられる。この際、空の容器本体６内の低粘度のエアーは、図７の矢線Ａで示すように、互いに合致していない通気路１１及び切欠き１３でも容易に通り、外部にスムーズに排出され、詰替容器４内の高粘度の詰替内容物３は、軸方向で互いに合致していない通気路１１及び切欠き１３により通りづらく、外部に漏れることがない。しかも、リング状フラップ１２の先端の内径（Ｒ１）が容器本体６の内径（Ｒ２）より小（Ｒ１＜Ｒ２）にすれば、このリング状フラップ１２により容器本体６内に詰替内容物３を誘導しても、その口部７を詰替内容物３により汚す虞が無い。
【００２８】
以上、本発明の実施例１を説明したが、具体的な構成はこれに限定されず、例えば、詰替容器が２枚のプラスチックフィルムの周縁を溶着したものでなくても良く、さらに、本発明の要旨を逸脱しない範囲での変更は、適宜可能であることが理解されるべきである。
【産業上の利用可能性】
【００２９】
本発明のスパウトは、空の容器本体内に詰替容器内の詰替内容物を移し替える際、詰替内容物が外にこぼれ出ず、エアー抜きにより詰替内容物を容易に容器本体内に移し替えでき、且つ容器本体の口部を汚さないようにしたい場合に、その利用可能性が極めて高くなる。
【符号の説明】
【００３０】
１                        スパウト
２                        プラスチックフィルム
２ａ、４ａ                周縁
３、５０Ａ                詰替内容物
４、５０                  詰替容器
４ｂ                      詰替容器の開口している部分の周縁
５                        詰替容器の開口部
５ａ                      開口端
６                        空の容器本体
７                        口部
８                        容器本体の雄ネジ
８ａ                      外キャップの雌ネジ
９                        スパウトの雌ネジ
９ａ                      スパウトの雄ネジ
１０                      シール突起部
１１                      通気路
１２                      リング状フラップ
１３                      切欠き
２０                      外キャップ
２１                      閉塞フィルム
２２                      摘み部 
５１                      本容器
５２                      開口部
５３                      注出口部（スパウト）
５６                      コンタクトリング
Ａ                        矢線
Ｒ１、Ｒ２、Ｒ３、Ｒ４    内径
【図１】
2014196111.tif 000003
【図２】
2014196111.tif 000004
【図３】
2014196111.tif 000005
【図４】
2014196111.tif 000006
【図５】
2014196111.tif 000007
【図６】
2014196111.tif 000008
【図７】
2014196111.tif 000009
【図８】
2014196111.tif 000010
【図９】
2014196111.tif 000011